(57)【要約】【課題】  大量な温水やそれ起源の熱が必要な場合、プールや池、海などには広い水面があり、大量の水が存在するが、それを温水に改変させる容易な方法はなかった。既存の太陽熱温水器で実現する場合は、多くの台数を設置する必要があり、広い設置場所が必要でコストも大きい。【解決手段】フレキシブル集熱断熱浮遊体を構成する透光板と反射板により、太陽光を集め、同、構成する吸収伝導板により、その太陽光の熱を水に伝え、大量に、水面近くの水を効率よく温水化し各種熱源にできる。また、フレキシブル集熱断熱浮遊体の断熱性により上方への断熱性が確保され、一旦温水化された水面近くの水が対流現象で深層部の水と交わり温度低下をきたさないように、上層区分シートを水中に浮遊させて、温水を保温する。構成部材はフレキシブルなので、必要なときに容易に設置でき、折りたたんで運搬、保管でき、安価を実現できる。【選択図】図１
2009192207.tif 000002
【特許請求の範囲】
【請求項１】
水面に浮かせるフレキシブル集熱断熱浮遊体と、水中に浮遊する上層区分シートと、温水取り出し口および温風取出し口から構成する太陽熱温水器
【請求項２】
請求項１の構成において、さまざまな地域の気候条件に対応できるように調整可能にした太陽熱温水器
【発明の詳細な説明】
【技術分野】
【０００１】太陽熱温水器
【背景技術】
【０００２】断熱材を水面に浮かせて水温温度の下降を抑える方法はある。
器に入った水を温める形式の太陽熱温水器はある。
【発明の開示】
【発明が解決しようとする課題】
【０００３】１．  大量な温水が必要な場合、プールや池、海などには広い水面が存在し、大量の水が存在するが、それを温水に改変させる容易な方法はなかった。
２．  大量の温水が必要な場合、太陽熱温水器は一単位がたたみ一枚程度であり、それを数多く設置する必要があり、そのための広い設置場所が必要であり、そのためのコストも大きく必要であった。
【課題を解決するための手段】
【０００４】１．  本発明では、フレキシブル集熱断熱浮遊体を構成する透光板と反射板により、太陽光を集め、同様に構成する吸収伝導板により、その太陽光の熱を水に伝えるので、大量に、水面近くの水を効率よく温水化できる。また、フレキシブル集熱断熱浮遊体の断熱性により上方への断熱性が確保されるので、その温水は保温される。
２．  本発明では、一旦温水化された水面近くの水が対流現象で深層部の水と交わり、温度低下をきたさないように、上層区分シートを水中に浮遊させ、その上方に滞留層を形成するので、一旦温まった大量な温水が滞留し保温される。
３．  本発明では、透光板、反射板、吸収伝導板からなるフレキシブル集熱断熱浮遊体と、水中に浮遊するフレキシブルな上層区分シートからなるため、必要なときに、容易に設置でき、容易に折りたたんで運搬、保管できるものであり、大量な温水を得る為のイニシャルコストもランニングコストも小さく抑えることができる。
４．  また温水から熱交換し温まった空気を取り出す温風取り出し口を配置し、目的に応じ温水と温風という異なった熱供給媒体を用いることができる。
【発明の効果】
【０００５】人工的なエネルギーを用いないで、太陽光のみで、効率よく大量の温水を確保することができる。したがって地球環境改善に寄与できる。その温水を建物の給湯、暖房、栽培室の温度調整などに用いることができる。また普通の屋外プールの水温維持や、さらに温水プールへの転換に用いることができる。  また、学校エコ改修において、冬期使用されないプールにて、温水を容易に作り、温風を教室の天井裏などに供給して暖房に用いることが可能となる。学校など非常時に防災拠点になる場所では、非常時の介護、洗浄などに役立つ貴重なお湯として役立つ。また水田に敷き詰め、温水をつくり、温室栽培に用いることもできる。
【実施例１】
【０００６】＜イ＞全体の構成
水面に浮遊する透光板４、反射板５、吸収伝導板６、空気層１０からなるフレキシブル集熱断熱浮遊体１と、水中の上層部を区分し滞留層１１を形成する水中に浮遊する上層区分シート２と、温水取り出し口３と、温風取出し口９からなる太陽熱温水器。
＜ロ＞フレキシブル集熱断熱浮遊体１
透光板４と反射板５と吸収伝導板６で囲むことにより密閉した空気層１０を形成し、面を形成するように、そのものを隙間なく並べ連続一体化し、水面に浮かぶようにしたもの。日射を集め吸収しやすいが、一旦吸収した熱は下面の水に吸収され蓄えられ、かつ空気層により断熱され、上方に逃げにくい。素材として、水、紫外線に強く、軽い樹脂を主体として用いる。また折りたたみできるように反復変形を許容する柔軟なもので構成し、水面の揺れに追随し、巻いてコンパクトにして運搬、保管できる。空気層１０に温風取り出し口９がつく。
＜ハ＞上層区分シート２
水より若干重く、熱伝導性の低い樹脂等のフレキシブルなシート７。それを水中に浮遊させるためにところどころに浮力体８を結びつけたもの。シートの上の滞留層１１と下の水を区分し、両者の水が交わらないように働く。またシートの上の温水が存在する滞留層１１から下の水に熱が伝導しにくくする役割を持つ。浮力体８は発泡ポリスチレンなど水と紫外線に強い素材を用いる。巻いたり折りたたんだりしてコンパクトにして運搬、保管ができる。
＜ニ＞温水取り出し口３
フレキシブル集熱断熱浮遊体１と上層区分シート２の間の滞留層１１に位置させ、温水を取り出す配管の口。
＜ホ＞透光板４
透明度が高く、透光率の高い樹脂等の板。水面に対する角度は、地域ごとの日射角度にあわせ調整できる。また、同角度は、温水を必要とする季節の日射角度に合わせて調整できる。
＜ヘ＞反射板５
透光板４を通過した光が再度、上空に逃げてしまわないように反射する板、また、日射を透光板４に当たりやすく反射させる反射板。樹脂にアルミを貼り付けたものなどを使用。空気層１０の温まった空気が逃げにくいように断熱性も併せ持つものとする。水面に対する角度は、地域ごとの日射角度にあわせ調整できる。また、同角度は、温水を必要とする季節の日射角度に合わせて調整できる。
＜ト＞吸収伝導板６
透光板４、反射板５からの熱線を吸収しやすく、直ちに下面に接する水にその熱を伝える熱伝導性に優れた板。黒色の樹脂等を使用する。
＜チ＞温風取り出し口９
空気層１０に位置し、吸収伝導板６によって温水から熱交換して、温風を取り出す口。空気層にリターンの空気を戻す口を設けることもある。また、温風を加湿する必要がある場合などに、温風取り出し配管を、滞留層１１に通すこともある。その配管素材として、熱交換しやすい薄い樹脂や、金属を用い、一部は透湿性の素材とする。
【図面の簡単な説明】
【０００７】
【図１】全体の構成と温水を作る仕組みの説明図
【図２】フレキシブル集熱断熱浮遊体の説明図
【図３】フレキシブル集熱断熱浮遊体を巻き上げコンパクトにする説明図
【図４】上層区分シートの説明図
【符号の説明】
【０００８】１    フレキシブル集熱断熱浮遊体
２    上層区分シート
３    温水取り出し口
４    透光板
５    反射板
６    吸収伝導板
７    フレキシブルなシート
８    浮力体
９    温風取り出し口
１０  空気層
１１  滞留層
【図１】
2009192207.tif 000003
【図２】
2009192207.tif 000004
【図３】
2009192207.tif 000005
【図４】
2009192207.tif 000006